(57)【要約】    【課題】中空の支柱に対して壁パネルを簡単に止め付けることができ、しかも壁パネルを容易に着脱することができるように改良されたパネル体保持具を提供する。    【解決手段】２枚のパネル体２の端縁に形成された弾性変形可能な弾発係止部２２を受け入れる長軸方向スリット６が形成された支柱３（３３）に対し、２枚のパネル体を止め付けるためのパネル体保持具４（３４）を、支柱の端末に結合される脚部８と、２枚のパネル体の弾発係止部を係合させるべく前面に設けられた保持部９とを有するものとする。【選択図】図１
2008184872.tif 000002
【特許請求の範囲】
【請求項１】
２枚のパネル体の端縁に形成された弾性変形可能な弾発係止部を受け入れる長軸方向スリットが形成された支柱に対して前記２枚のパネル体を止め付けるためのパネル体保持具であって、
前記支柱の端末に結合される脚部と、前記２枚のパネル体の弾発係止部を係合させるべく前面に設けられた保持部とを有することを特徴とするパネル体保持具。
【請求項２】
前記保持部は、縦方向のリブと、縦方向の凸条および凹溝が前後方向に連続的に形成された凸部とを有し、
前記リブと前記凸条の突端との間隔が前記弾発係止部の自然状態時の幅寸法以下であり、前記リブと前記凹溝の底面との間隔が前記弾発係止部の自然状態時の幅寸法以上であることを特徴とする請求項１に記載のパネル体保持具。
【請求項３】
前記保持部は、左右対称形をなすことを特徴とする請求項１又は２に記載のパネル体保持具。
【発明の詳細な説明】
【技術分野】
【０００１】
本発明は、パネル体保持具に関し、特に矩形状の部屋の壁面を形成する複数枚の壁パネルの相互を、板体を曲折して形成した中空の支柱に保持させるためのパネル体保持具に関するものである。
【背景技術】
【０００２】
規格化された壁パネルの側端同士を中空の支柱によって接続してユニットバスなどの壁面を構成するものが知られている（特許文献１を参照されたい）。
【０００３】
この特許文献１に記載のものは、壁パネルの側端に形成した係止部を、スタッドと称する中空の支柱の内側に係止させた状態を保持するために、支柱の長軸方向から支柱の最上端に固定ブロックを装着している。
【特許文献１】特開２００４−１５０２５３号公報
【発明の開示】
【発明が解決しようとする課題】
【０００４】
これによると、固定ブロックを装着しないと支柱に対する壁パネルの係止状態を保持することはできず、また天井を張り込んでしまうと支柱の上端に対して固定ブロックを着脱することはできないので、初期施工が厄介であるばかりでなく、リフォームや補修も厄介である。
【０００５】
本発明は、このような従来技術の不都合を解消すべく案出されたものであり、その主な目的は、中空の支柱に対して壁パネルを簡単に止め付けることができ、しかも壁パネルを容易に着脱することができるように改良されたパネル体保持具を提供することにある。
【課題を解決するための手段】
【０００６】
このような課題を解決するため、本発明の請求項１は、２枚のパネル体２の端縁に形成された弾性変形可能な弾発係止部２２を受け入れる長軸方向スリット６が形成された支柱３（３３）に対して２枚のパネル体を止め付けるためのパネル体保持具４（３４）を、支柱の端末に結合される脚部８と、２枚のパネル体の弾発係止部を係合させるべく前面に設けられた保持部９とを有するものとした。
また本発明の請求項２は、保持部を、縦方向のリブ１４と、縦方向の凸条１５および凹溝１６が前後方向に連続的に形成された凸部１３とを有するものとし、リブと凸条の突端との間隔が弾発係止部の自然状態時の幅寸法以下であり、リブと凹溝の底面との間隔が弾発係止部の自然状態時の幅寸法以上であるものとした。
さらに本発明の請求項３は、保持部を左右対称形をなすものとした。
【発明の効果】
【０００７】
このような本発明の請求項１の構成によれば、脚部を支柱に予め結合させておき、パネル体の背面を保持部に押し付けるだけでパネル体を支柱に止め付けることができるので、作業性を高める上に大きな効果を奏することができる。
また請求項２の構成によれば、パネル体の端部は、その弾性により一旦撓んで凸条の突端を乗り越え、凹溝にて復元して凸条に係合するので、パネル体を支柱に対して容易に仮留めすることができると共に、比較的容易に引き剥がすことができる。
さらに請求項３の構成によれば、左右対称形とすることにより、方向性をなくすことができるので、上下共通で使用することができる。
【発明を実施するための最良の形態】
【０００８】
以下に添付の図面を参照して本発明について詳細に説明する。
【０００９】
図１〜３は、本発明が適用されたフラット壁支持装置を示し、図４〜６は、本発明が適用されたコーナー壁支持装置を示している。
【００１０】
フラット壁支持装置１は、同一の垂直面上に２枚の壁パネル２を連続的に配置させるためのものであり、フラット壁用の支柱３と、その端末に取り付けられるフラット壁用の保持具４とからなっている。
【００１１】
支柱３は、例えば金属板を断面形状が概ねコ字状をなすように曲折すると共に、その開放面側の両端縁をそれぞれ内向きに曲折してカール部５を形成することにより、その前面に長軸方向に沿うスリット６を形成したものである。ここでカール部５は、その端縁側を支柱の側壁３ａの内面に近接させた斜面７を備えている。
【００１２】
この支柱３は、その端末に保持具４を予め取り付けた上で、例えば下地壁に設けられた横桟（図示せず）に、ビスなどを用いてその背壁３ｂの適所を止め付けられる。
【００１３】
保持具４は、例えば合成樹脂材の射出成型で左右対称形に形成されており、支柱３の端末に結合させる脚部８と、壁パネル２の側端を係止させる保持部９とからなっている。
【００１４】
脚部８は、二股に分かれており、その中央部には、前方へ向けて拡開した断面形状が概ねＹ字形をなす縦スリット１０が形成されている。そして上広がり（下窄まり）のテーパがその端縁に付された複数の縦リブ１１が、脚部８の両側面と背面とに突設されている。
【００１５】
この脚部８は、支柱３の端末におけるカール部５の内端縁と背壁３ｂとの間の空間に挿入すると、図３に示すように、その前面がカール部５の内端縁に圧接し、且つ各縦リブ１１のテーパ縁が支柱３における側壁３ａと背壁３ｂとの内面に圧接して、支柱３の端末（上端または下端）に緊密に結合するようになっている。
【００１６】
保持部９は、その全体の外形輪郭が支柱３の外形輪郭と略等しくされると共に、支柱３の板厚に相当する段部１２が脚部８との間に形成されており、支柱３の端末に脚部８を結合させると支柱３の端面に段部１２が当接し、その押し込み位置が定まるようになっている。
【００１７】
保持部９の前面には、２つの凸部１３が両側部に突設され、１つの縦リブ１４が中央部に突設されている。
【００１８】
２つの凸部１３は、上下方向に延在しており、その互いの対向面同士には、低い凸条１５と浅い凹溝１６とが前後方向に連続的に形成されている。２つの凸条１５同士の互いに対向する面には、手前側が外向きに拡開した斜面１７が形成されている。
【００１９】
壁パネル２は、薄板で構成されており、その側端部には、板材の側部を裏面側へ向けて直角に折曲して直角折曲部２１を形成した後、さらに端縁を２度に渡って内向きに折曲することにより、断面形状がム字形をなす弾発係止部２２が形成されている。この弾発係止部２２を支柱３の前面のスリット６から支柱３の内部に挿入したとき、互いに対向する一対のカール部５の斜面７に弾発係止部２２が当接するようになっている。
【００２０】
さて、単に壁パネル２の弾発係止部２２をスリット６から支柱３の内部に差し込んだだけでは、図３に示す通り、２枚の壁パネル２の直角折曲部２１同士の間隔Ａの方が、カール部５の斜面７に対する弾発係止部２２の引っ掛かり代Ｂより広いため（Ａ＞Ｂ）、カール部５の斜面７に対して弾発係止部２２を自己保持させることはできない。この支柱３に対する壁パネル２の結合状態は、図３に示すように、２枚の壁パネル２の直角折曲部２１同士間にシール部材２３を装着して達成される。しかし自己保持しない２枚の壁パネル２の隙間にシール部材２３を装着する作業は厄介である。
【００２１】
そこで本発明においては、支柱３の端末に取り付けた保持具４の保持部９に、壁パネル２の弾発係止部２２の仮止め機能を設けるものとした。この仮止め機能について以下に説明する。
【００２２】
図２に示すように、保持部９の前面両側に設けられた両凸部１３における凸条１５の突端と中央に設けられた縦リブ１４との間隔Ｃは、弾発係止部２２の自然状態時の幅寸法Ｄ以下とされており（Ｄ＞Ｃ）、縦リブ１４と凹溝１６の底面との間隔Ｅは、弾発係止部２２の自然状態時の幅寸法Ｄ以上とされている（Ｅ＞Ｄ）。従って、一方の凸部１３と縦リブ１４との間に弾発係止部２２を押し込むと、前広がりとなった凸条１５の斜面１７に突き当たって弾発係止部２２が内向きに変形し、凸条１５を乗り越えると復元する。これにより、弾発係止部２２が凹溝１６に引っ掛かって壁パネル２の仮留めがなされる。
【００２３】
この状態で、互いに隣接する２枚の壁パネル２の直角折曲部２１同士間にシール部材２３を押し込むことにより、弾発係止部２２がカール部５の斜面７に押し当てられ、１つの支柱３に対する２枚の壁パネル２の取付状態が達成される。
【００２４】
互いに隣接する２枚の壁パネル２の直角折曲部２１同士間に押し込まれるシール部材２３は、例えば軟質ゴム材の押し出し成型にて形成されており、２枚の壁パネル２の側端縁同士の隙間を塞ぐ目地部２４と、直角折曲部２１同士間に拡幅方向の弾発力を作用させる第１リップ片２５と、弾発係止部２２に当接する第２リップ片２６とを備えている。これにより、２枚の壁パネル２の弾発係止部２２を支柱３におけるカール部５の斜面７に押し当てて支柱３に対する２枚の壁パネル２の結合状態を保持すると共に、２枚の壁パネル２の側端縁同士の隙間からの水滴の浸入を防止している。
【００２５】
図４〜６に示したコーナー壁支持装置３１におけるコーナー壁用支柱３３とその保持具３４との関係も、上述したフラット壁支持装置１のものと実質的に同一であり、フラット壁支持装置１のものと同一機能の部分には、図１〜３のものと同一の符号を付してその説明を省略する。これは保持部９と縦リブ１４との組を互いに直交する２つの平面上に設けることにより、２枚の壁パネル２を互いに直交する２つの垂直面上で支持するように構成されたものであり、互いに直交する２つの平面上に支持された２枚の壁パネル２の隙間にシール部材５３を押し込むことで１つの支柱３３に対する２枚の壁パネル２の結合状態が達成される点は、上述したフラット壁支持装置１と同様である。
【００２６】
これらの保持具４・３４は、左右対称形をなしており、支柱３・３３の上下各端末に共通のものを用いることができる。従って、部品管理が容易である。
【００２７】
なお、フラット壁用、コーナー壁用共に、保持具４・３４は、材料の節約と軽量化のために適宜に肉抜きして形成されている。
【図面の簡単な説明】
【００２８】
【図１】本発明によるフラット壁支持装置の分解斜視図である。
【図２】壁パネルを仮留めした状態を示すフラット壁保持具の下面図である。
【図３】壁パネルを組み付けた状態のフラット壁支持装置の一部切除して示す上面図である。
【図４】本発明によるコーナー壁支持装置の分解斜視図である。
【図５】壁パネルを仮留めした状態を示すコーナー壁保持具の下面図である。
【図６】壁パネルを組み付けた状態のコーナー壁支持装置の一部切除して示す上面図である。
【符号の説明】
【００２９】
２  壁パネル
３（３３）  支柱
４（３４）  パネル体保持具
６  長軸方向スリット
８  脚部
９  保持部
１３  凸部
１４  リブ
１５  凸条
１６  凹溝
２２  弾発係止部
【図１】
2008184872.tif 000003
【図２】
2008184872.tif 000004
【図３】
2008184872.tif 000005
【図４】
2008184872.tif 000006
【図５】
2008184872.tif 000007
【図６】
2008184872.tif 000008